(57)【特許請求の範囲】
【請求項１】
硬貨が投入されるホッパと、
該ホッパの硬貨投入口を被うメインシャッタと、
該メインシャッタの内側で上記ホッパの硬貨投入口を被うと共に、利用者が一操作で上記ホッパに投入する硬貨の量を規制する大きさの切欠き部を有する規制シャッタと、
上記ホッパに投入された上記硬貨を搬入する搬入手段と、
上記メインシャッタおよび規制シャッタの開閉を制御し、上記メインシャッタを開きかつ上記規制シャッタを閉じての上記利用者が上記一操作で投入する硬貨の量を規制する現金取扱いと、上記メインシャッタおよび上記規制シャッタ両方を開く制御を行うシャッタ制御手段と、
上記メインシャッタを開き上記規制シャッタを閉じた状態で、利用者に硬貨の投入を促すガイダンスを出力し、その後、上記メインシャッタおよび上記規制シャッタの双方を開いた状態で、利用者に紙幣の投入を促すガイダンスを出力する手段とを設け、硬貨から紙幣の順で、同一のホッパへの現金の投入を受け付けることを特徴とする現金取扱装置。
【請求項２】
硬貨が投入されるホッパと、
該ホッパの硬貨投入口を被うメインシャッタと、
上記ホッパの硬貨投入口を被うと共に、利用者が一操作で上記ホッパに投入する硬貨の量を規制する大きさの切欠き部を有する規制シャッタと、
上記ホッパに投入された上記硬貨を搬入する搬入手段と、
現金取扱装置が店内設置か否かを判定する手段と、
上記メインシャッタおよび規制シャッタの開閉を制御するシャッタ制御手段とを有し、
上記判定する手段にて店内設置でないと判定したとき、上記シャッタ制御手段は、上記規制シャッタを閉じた状態のままで上記メインシャッタを開く制御を行い、
上記判定する手段にて店内設置であると判定したとき、上記シャッタ制御手段は、上記メインシャッタおよび上記規制シヤッタ両方を開く制御を行うことを特徴とする現金取扱装置。
【請求項３】
硬貨が投入されるホッパと、
該ホッパの硬貨投入口を被うメインシャッタと、
上記ホッパの硬貨投入口を被うと共に、利用者が一操作で上記ホッパに投入する硬貨の量を規制する大きさの切欠き部を有する規制シャッタと、
上記ホッパに投入された上記硬貨を搬入する搬入手段と、
上記メインシャッタおよび規制シャッタの開閉を制御するシャッタ制御手段とを有し、
上記シャッタ制御手段は、予め設定された制御情報に従って、上記メインシャッタを開きかつ上記規制シャッタを閉じての硬貨投入処理と、上記メインシャッタおよび上記規制シヤッタ両方を開いての硬貨投入処理とを制御することを特徴とする現金取扱装置。
【発明の詳細な説明】
【０００１】
【発明の属する技術分野】
本発明は、両替機やＡＴＭ（Automatic Tellers Machine、現金自動取引装置）等に設けられ、利用者が投入した紙幣や硬貨等の現金を自動的に取り込む現金取扱装置に係わり、特に、同一投入口で紙幣と硬貨の投入を行なうＡＴＭや、保守員が常駐していない遠隔地に設置されるＡＴＭなどに用いるのに好適な現金取扱装置に関するものである。
【０００２】
【従来の技術】
現在、銀行や郵便局のほとんどにＡＴＭが設置されており、多くの利用者は、ＡＴＭを利用して口座への入金や口座からの出金等の金融取引を行なっている。
ＡＴＭには、利用者との現金のやり取り（入出金）を行なうための現金取扱装置が設けられている。この現金取扱装置に係わる従来の技術としては、例えば、特開昭６０−１６３１９３号公報に記載のものがある。この技術も含め、従来の現金取扱装置では、紙幣や硬貨等の投入口は、普段は一枚のシャッタで塞がれているが、例えば利用者が入金操作指示を行なうとシャッタが自動的に開き、利用者は、入金したい現金を投入口から装置内のホッパに投入することができる。
【０００３】
現金取扱装置内には、ホッパに投入された紙幣もしくは硬貨を、一枚ずつ分離して搬入する機構が設けてあり、利用者は、入金したい現金を一括して投入することができる。
しかし、このように現金の投入を一括で行う場合、特に、硬貨での取引を行う場合、利用者が、入金時に誤って硬貨以外のものをホッパ内に投入してしまい、装置内部の搬送路等で詰まり、装置障害となる可能性がある。また、一括での投入量が多い場合には、ホッパの装置内部への搬入口付近に硬貨が堆積し、その重み等により詰まってしまい、装置内部に搬入されない可能性がある。
【０００４】
このような場合、ＡＴＭが銀行内に設置されているのであれば保守員が直ちに障害対処を行なうことができるが、保守員がいない遠隔地にＡＴＭが設置されている場合や、休日の場合には、長時間、障害状態が続いてしまう。
このような問題に対処するためには、例えば、種々の自動販売機などのように、紙幣や硬貨を一枚ずつ投入させる構成とする技術が考えられる。しかし、この技術では、利用者は現金の投入操作を繰り返さなければならず、時間がかかると共に利用者の負担となる。また、ＡＴＭにおいては、装置の小型化や利用者の操作性向上のために、入出金口を共用させる構成としなければならず、また、一括での出金操作が必要であり、自動販売機の現金投入制御技術を単純には適用できない。
【０００５】
また一般に、ＡＴＭにおいては、紙幣と硬貨の入出金口は別々に設けている。これは、紙幣と硬貨の入出金口を共用とした場合、紙幣と硬貨が一括して投入され、このように混在した状態から紙幣と硬貨を分離するための機構が新たに必要となるためである。このような紙幣と硬貨を分離するための機構は複雑なものであり、高い信頼性を持たせるには、装置の大型化とコスト高をまねく。
【０００６】
【発明が解決しようとする課題】
解決しようとする問題点は、従来の技術では、現金の一括投入時における異物のホッパへの混入を防止できない点、および、紙幣と硬貨の入出金口の共用を簡素な機構で構成できない点である。
本発明の目的は、これら従来技術の課題を解決し、紙幣や硬貨の一括での入出金が要求されるＡＴＭ等における操作性と信頼性の向上が可能な現金取扱装置を提供することである。
【０００７】
【課題を解決するための手段】
上記目的を達成するため、本発明の現金取扱装置は、通常のメインシャッタの他に、一枚ずつ、あるいは数枚ずつ現金（硬貨）を投入するためのスリット（切欠き）を設けた規制シャッタを具備し、上位本体であるＡＴＭ等の装置の設置場所や、取引内容等の条件に合わせて、各シャッタの開閉制御手順が設定される。
例えば、保守員が容易には出向けない遠隔地にＡＴＭが設置される場合には、硬貨の一括投入に伴う異物の混入障害を回避することを最重要課題とし、硬貨の投入操作時には、硬貨用のホッパの投入口を、硬貨の投入を一枚ずつに規制する規制シャッタで閉じておくように設定する。
また、先に規制シャッタを閉じた状態で硬貨の規制量単位（例えば一枚ずつ）での投入を促し、次に、規制シャッタを開けて紙幣の一括投入を許可する操作順序に設定して、利用者の硬貨および紙幣の投入動作を制御することにより、一つのホッパーを共用して、硬貨と紙幣の投入を受付ける機構を容易に構成できる。
【０００８】
【発明の実施の形態】
以下、本発明の実施例を、図面により詳細に説明する。
図１は、本発明の現金取扱装置を用いたＡＴＭの本発明に係る構成の第１の実施例を示す説明図であり、図２は、図１におけるＡＴＭの外観を示す斜視実体図である。
図２において、１８はＡＴＭ、１９は筐体、２０は操作パネル、２１は紙幣口、２２は通帳口、２３は磁気カード／明細票口、２４は硬貨口である。
【０００９】
ＡＴＭ１８の利用者は、操作パネル２０の表示内容に基づき、所定のキー操作を行なうことにより所望の取引を行なうことができる。例えば、自分の口座への入金であれば、操作パネル２０上の所定のキーを押下し、それに伴い変化する操作パネル２０上のガイダンス内容に従って、磁気カード／明細票口２３への磁気カードの挿入もしくは通帳口２２への通帳の挿入と暗証番号の入力を行なう。この暗証番号の入力後、紙幣口２１および硬貨口２４のシャッタが開くので、そこに入金する紙幣と硬貨を投入する。
【００１０】
そして、利用者が操作パネル２０上の終了キーを押下すると、紙幣口２１および硬貨口２４のシャッタが閉じ、紙幣および硬貨は、ＡＴＭ１８内部に搬入されて計数され、この計数結果に基づき、遠隔地に設置されたセンタのホストコンピュータで管理している口座内容が変更される。この変更された口座内容は明細票に印字され、磁気カード／明細票口２３から、磁気カードと共に排出される。
本例のＡＴＭ１８では、硬貨口２４のシャッタ部分を、以下に説明する図１に示す構成とすることにより、硬貨口２４へ硬貨以外の異物が投入されることを防止している。
【００１１】
図１において、１は硬貨の一括での受け払いが可能なホッパ、２は硬貨が一枚ずつ通過できる程度の大きさのスリット２ａが設けられた規制シャッタ、３は通常のメインシャッタ、４は規制シャッタ２およびメインシャッタ３の開閉制御を予め設定された手順で行なうシャッタ制御部、５はホッパ１からの硬貨を一枚ずつ搬入するフィーダ、６は搬入された硬貨を搬送する搬送部、７は硬貨の種別や真偽判別等を行なう鑑別部、８は鑑別部７で偽と判別された硬貨を取り込むリジェクトゲート、９はリジェクトゲート８からの硬貨を搬送する返却部、１０は返却部９からの硬貨をホッパ１に送り出す排出部、１１は鑑別部７で正しいものと判別された硬貨を一時格納する一時スタッカ、１２は一時スタッカ１１内の硬貨を返却部９側に送り出す返却ゲート、１３は一時スタッカ１１内の硬貨を金庫１４側に送り出す収納ゲート、１４は硬貨を収納する金庫、１５は出金用の硬貨を収納した出金硬貨筒、１６は出金硬貨筒１５から出金用の硬貨を取り出し排出部１０に送り出す出金部、１７はホッパ１に投入される硬貨である。
【００１２】
普段、シャッタ制御部４は、規制シャッタ２とメインシャッタ３の双方を閉じた状態にしている。図２における操作パネル２０を介して、例えば現金振込取引が選択された場合には、メインシャッタ３のみを開ける。この結果、利用者は、規制シャッタ２のスリット２ａを通して硬貨を一枚ずつ投入することとなる。このように、ホッパ１への投入口を全開しないことにより、ホッパ１への硬貨以外の異物の投入を回避することができる。
【００１３】
このように、利用者がシャッタ２に作られたスリット２ａから、一枚ずつ投入した硬貨１８は、ホッパ１に一時格納される。そして、図２における操作パネル２０を介して硬貨の入金操作の完了が指示されると、ホッパ１の下部が開き、ホッパ１に貯められた硬貨はホッパ１の下部から一括してフィーダ５へ落とされ、フィーダ５において、硬貨１７が一枚ずつ分離され、搬送部６に送り出される。
【００１４】
搬送部６の搬送路上には鑑別部７が設けられ、この鑑別部７により、硬貨の鑑別と計数が行なわれる。
鑑別部７では、硬貨の外径・材質・穴の有無等により鑑別を行う。鑑別され計数された硬貨は一時スタッカ１１へ搬送され、その計数結果が図２の操作パネル２０上に表示される。この図２の操作パネル２０上で計数結果の確認が利用者から指定されると、収納ゲート１３が開かれ、一時スタッカ１１にスタックされた硬貨は金庫１４に収納される。
【００１５】
しかし、利用者が硬貨の返却を指定した場合には、返却ゲート１２が開き、一時スタッカ１１にスタックされた硬貨１１は一括して返却部９および排出部１０へ送り出され、ホッパ１に返却される。そして、シャッタ制御部４によりシャッタ２が開き、利用者は硬貨を、一括して受け取ることができる。また、鑑別部７で偽貨と判断された硬貨はリジェクトゲート８により、返却部９へ送り出され、排出部１０を介してホッパ１に戻される。
【００１６】
このように、メインシャッタ３の他に規制シャッタ２を設け、その開閉を予め設定された手順で制御することにより、硬貨の入金操作において、一枚ずつの入金と一括しての返却を同じホッパ１を用いて行なうことができる。
尚、出金動作においては、利用者の指定に対応した硬貨が、出金部１６により、出金硬貨筒１５から排出部１０に送り出され、ホッパ１に排出される。
【００１７】
図３は、図１におけるＡＴＭに設けられた現金取扱装置の本発明に係る構成部分を示す斜視実体図である。
図３（ａ）は、規制シャッタ２とメインシャッタ３の双方を閉じた状態を示しており、ホッパ１への入金および出金のいずれも行なうことはできない。
図３（ｂ）は、メインシャッタ３のみを開けた状態を示しており、規制シャッタ２のスリット２ａを通して、硬貨を一枚ずつ投入できる。
図３（ｃ）は、規制シャッタ２とメインシャッタ３の双方を開けた状態を示しており、ホッパ１からの一括しての出金が可能である。
【００１８】
図４は、図２におけるＡＴＭの制御機構の構成例を示すブロックである。
ＡＴＭ１８は、記憶装置２６に格納されたプログラムに基づくＣＰＵ２５の処理により、インタフェース２７を介して操作パネル２０や現金取扱装置２８を制御し、現金の入出金等の取引を行なう。
本例の現金取扱装置２８は、図１に示したように、特に硬貨１７の入出金制御を行なうものであり、本発明に係わるシャッタ制御部４を具備している。
【００１９】
操作パネル２０に設けられた入力キー２０ａにより、例えば硬貨１７の入金が指示されると、ＣＰＵ２５は、シャッタ制御部４を起動し、シャッタ制御部４は、図３（ａ）〜（ｃ）に示すようにして、メインシャッタ３と規制シャッタ２の開閉制御を行なう。
以下、図５、図６を用いて、このようなシャッタ制御部４を用いた図３のメインシャッタ３と規制シャッタ２の開閉制御動作の説明を行なう。
【００２０】
図５は、図１におけるＡＴＭの現金取扱装置の制御手順の第１例を示すフローチャートである。
本例は、入金時と出金時でシャッタの開閉状態を変える場合の制御動作を示しており、特に、ＡＴＭが遠隔地等に設置され、障害発生時に保守員がすぐに対処できない場合に有効である。
利用者から、例えば硬貨を使用した取引が選択され（ステップ５０１）、暗証番号等、取引に必要な項目（ステップ５０２）および取引金額（ステップ５０３）が入力されると、その入力項目に基づき取引が硬貨の入金（投入）か出金（受取）かを判別する（ステップ５０４，５０５）。
【００２１】
硬貨投入であれば、上段のシャッタ、すなわち、図３（ｂ）に示すように、メインシャッタ３のみを開く（ステップ５０６）。これにより、利用者は硬貨を一枚ずつ投入することとなり、他の異物の混入を回避できる。
このような一枚ずつでの硬貨の投入完了後（ステップ５０７）、上段シャッタを閉め（ステップ５０８）、図３（ａ）に示す初期状態に戻す。ここで、例えばおつりもなく、利用者への返却処理が必要でなければ（ステップ５０９）、そのまま処理を終了するが、返却の必要があれば、図３（ｃ）に示すように、規制シャッタ２とメインシャッタ３の双方（上・下段シャッタ）を開ける（ステップ５１０）。
【００２２】
そして、利用者が硬貨を受取った後（ステップ５１１）、上段シャッタ（メインシャッタ３）と下段シャッタ（規制シャッタ２）を閉じて（ステップ５１２）、図３（ａ）に示す初期状態に戻す。
尚、ステップ５０４，５０５において、硬貨の出金であれば、ステップ５１０以降の処理を行なう。
【００２３】
図６は、図１におけるＡＴＭの現金取扱装置の制御手順の第２例を示すフローチャートである。
本例は、ＡＴＭの設置場所により、シャッタの制御を切替、硬貨の投入操作手順を変える場合の処理動作を示している。
利用者から、例えば硬貨を使用した取引が選択され（ステップ６０１）、暗証番号等、取引に必要な項目（ステップ６０２）および取引金額（ステップ６０３）が入力されると、その入力項目に基づき取引が硬貨の入金（投入）か出金（受取）かを判別する（ステップ６０４，６０５）。
【００２４】
硬貨投入であれば、図４のシャッタ制御部４に対して予め設定された制御情報、すなわち、店内設置か否かを読み取る（ステップ６０６）。店内設置でなければ、上段のシャッタ、すなわち、図３（ｂ）に示すように、メインシャッタ３のみを開く（ステップ６０７）。これにより、利用者は硬貨を一枚ずつ投入することとなり、他の異物が混入する危険性を回避でき、店外の遠隔地等に設置されたＡＴＭの信頼性を確保できる。
【００２５】
このように、利用者が全ての硬貨を一枚ずつ投入した後（ステップ６０８）、上段シャッタを閉め（ステップ６０９）、図３（ａ）に示す初期状態に戻す。ここで、例えばおつりもなく、利用者への返却処理が必要でなければ（ステップ６１０）、そのまま処理を終了するが、返却の必要があれば、図３（ｃ）に示すように、規制シャッタ２とメインシャッタ３の双方（上・下段シャッタ）を開ける（ステップ６１１）。そして、利用者が硬貨を受取った後（ステップ６１２）、上段シャッタ（メインシャッタ３）と下段シャッタ（規制シャッタ２）を閉じて（ステップ６１３）、図３（ａ）に示す初期状態に戻す。
【００２６】
尚、ステップ６０４，６０５において硬貨の出金であれば、また、ステップ６０６において店内設置が設定されていれば、それぞれ、ステップ６１１〜６１３のシャッタ制御を行なう。
このように、シャッタの動作制御を、設定情報の変更で容易に変えることができるので、ＡＴＭの設置場所が、店内で保守員が常駐している場所から、店外で、かつ保守員等の対応者が近くにいない無人店舗のような場所に変更されるような場合でも、硬貨の投入操作形態を容易に対応させることができる。
【００２７】
以上の実施例は、硬貨の投入口に関してのものであるが、このようなシャッタの動作制御を紙幣の投入口にも適用することができる。
図７は、本発明の現金取扱装置を用いたＡＴＭの本発明に係る構成の第２の実施例を示す説明図である。
本例のＡＴＭは、紙幣の投入に対して、その投入量を規制するものであり、図１におけるＡＴＭの各構成要素を紙幣用に設けて構成されている。
【００２８】
すなわち、利用者との入金取引の開始時、シャッタ制御部７４は、メインシャッタ７３のみを開け、利用者は、規制シャッタ７２のスリット７２ａから数枚の紙幣をホッパ７１内に投入する。このことにより、例えば、取引可能な上限を越えた過大な金額の一括入金を回避できる。
ホッパ７１内の紙幣は、入金取引の処理開始時、表面に分離パッドが設けられた押板７１ａによりフィーダローラ７５側に押し付けられ、フィーダローラ７５の回転に伴い、一枚ずつ分離されて搬送部７６に搬入される。
【００２９】
搬送部７６の搬送途中には鑑別部７７が設けられており、この鑑別部７７で、搬送部７６で搬送中の紙幣が順次鑑別される。不正な紙幣と鑑別された紙幣は、リジェクトゲート７８により、返却部７９側に送り出され、排出部８０を介してホッパ７１に戻される。不正でない紙幣は、リジェクトゲート７８によりガイド部８１側に送り出され、各レバー８１ａ〜８１ｃのオンオフ動作に伴い所定のスタッカ８２〜８３に収納される。
尚、出金取引時には、出金部８５により、当該の紙幣を収納した各スタッカ８２〜８３から所定の紙幣が繰り出され、排出部８０を介してホッパ７１に送り出される。
【００３０】
このようにして、紙幣に対する投入量の規制を行なうことができるが、紙幣の一括投入操作は、硬貨の一括投入操作に比べて異物が混入する可能性が低い。また、紙幣の一括投入では、利用者がきちんと並べて投入するので、硬貨の一括投入に見られるような積載不良が発生せず、フィーダによる搬入不良の発生も起こらない。そこで、規制シャッタを利用して硬貨の一括投入のみを規制することにより、次の図８に示すように、硬貨と紙幣の投入口およびホッパを共用する機構を容易に構成することができる。
【００３１】
図８は、本発明の現金取扱装置を用いたＡＴＭの本発明に係る構成の第３の実施例を示す説明図である。
本例のＡＴＭは、紙幣と硬貨の投入を、一つのホッパ９１で共用して行なうものであり、ホッパ９１からの紙幣もしくは硬貨を、図１に示したＡＴＭを構成する硬貨機構９６と、図７に示したＡＴＭを構成する紙幣機構９７にケース分けして搬出する搬出機構９５が設けられている。
【００３２】
利用者が例えば入金取引を選択すると、ＡＴＭは、シャッタ制御部９４を起動し、シャッタ制御部９４は、まず、メインシャッタ９３のみを開く。この状態で、図示していない操作パネル上に、硬貨を一枚ずつ投入するようガイダンス表示する。このガイダンスに従って、利用者は、規制シャッタ９２のスリット９２ａから一枚ずつ硬貨を投入する。投入された硬貨は、直ちに搬出機構９５により、硬貨機構９６に送り出され、図１で示したように鑑別、計数、収納処理等が行なわれる。
このように、硬貨は、ホッパ９１内に溜ることなく直ちに搬入されるので、堆積不良による搬入誤動作を回避できる。
【００３３】
利用者が全ての硬貨の投入を終了し、その旨を操作パネルで通知してくると、シャッタ制御部９４は、規制シャッタ９２も開く。この状態で、操作パネル上に、同じホッパ９１内に紙幣を一括して投入するようガイダンス表示する。
このガイダンスに従って、利用者は、入金する紙幣を一括してホッパ９１内に投入する。投入された紙幣は、搬出機構９５により、一枚ずつ分離されて紙幣機構９７に送り出され、図７で示したように鑑別、計数、収納等が行なわれる。
【００３４】
このように、規制シャッタ９２を設けることにより、まず、硬貨を一枚ずつ投入させ、硬貨の投入完了後に紙幣を一括投入させる操作手順とすることができ、ホッパ９１を硬貨と紙幣の両方で共用させたＡＴＭを容易に構成することができる。
このような規制シャッタ９２およびメインシャッタ９３の開閉制御を、図９を用いて説明する。
【００３５】
図９は、図８におけるＡＴＭのシャッタ開閉制御動作例を示すフローチャートである。
利用者が、入金取引や振込み取引において硬貨の使用を選択した場合には（ステップ９０１）、図８におけるメインシャッタ９３のみを開ける（ステップ９０２）。この状態で利用者が図８の規制シャッタ９２のスリット９２ａを介して一枚ずつ硬貨を投入し、全ての硬貨の投入が完了し、その旨を操作パネルのタッチキー等を介して通知してきたら（ステップ９０３）、規制シャッタ９２を開く（ステップ９０４）。
【００３６】
この状態では、利用者は、図８のホッパ９１に、紙幣を一括して投入することができ、このような紙幣の一括投入の完了が、操作パネルのタッチキー等を介して通知されてきたら（ステップ９０５）、図８のメインシャッタ９３と規制シャッタ９２を閉じ（ステップ９０６）、シャッタの開閉制御を終了する。
尚、ステップ９０１において、利用者が、入金取引や振込み取引において硬貨を使用しない旨を選択した場合には、図８のメインシャッタ９３と規制シャッタ９２の双方を開き（ステップ９０７）、直ちに利用者の紙幣の一括投入が可能な状態とする。
【００３７】
以上、図１〜図９を用いて説明したように、本例の現金取扱装置を用いたＡＴＭでは、現金投入口に、通常のメインシャッタの他に、一枚ずつでの硬貨投入が可能なスリットを有する規制シャッタを設け、取引内容や設置場所等の条件に合わせて、それぞれのシャッタの開閉制御動作を変更する構成としている。このことにより、遠隔地に設置されるＡＴＭに関しては、硬貨の投入を一枚ずつに規制するようシャッタの開閉制御を設定することにより、硬貨の一括投入に伴う障害を回避することができる。また、同じＡＴＭを、店内に移動した場合には、保守員が常駐しているので、硬貨も一括して投入できるようシャッタの開閉制御の設定を変更する。このことにより、硬貨の投入に要する時間を短縮できる。
【００３８】
このように、本例の現金取扱装置を用いたＡＴＭでは、ソフトウェア等の容易な変更で、シャッタの開閉制御動作を変更し、複数の現金投入操作手順を提供することができ、同じＡＴＭを、ハードウェアの改造をすることなく、容易な設定変更だけで、それぞれ異なる現金の投入操作が要求される設置場所に移動することができる。
【００３９】
尚、本発明は、図１〜図９を用いて説明した実施例に限定されるものではなく、その要旨を逸脱しない範囲において種々変更可能である。例えば、本例では、メインシャッタの他に、一枚ずつ硬貨を投入できるシャッタ（規制シャッタ）を設けているが、数枚ずつ硬貨を投入できる大きさのスリットを有するシャッタを設けても良い。また、複数種類の規制シャッタを設ける構成としても良い。
また、本例では、ＡＴＭを例に説明したが、硬貨の投入操作が行なわれる自動振込機や両替機等に関しても、本発明の現金取扱装置を設けることで、同様な効果を得ることができる。
【００４０】
【発明の効果】
本発明によれば、現金の一括投入時における異物のホッパへの混入の防止や、紙幣と硬貨の入出金口の共用が、簡素な構成で可能となり、紙幣や硬貨の一括での入出金が要求されるＡＴＭ等の装置の操作性と信頼性を、大型化およびコスト高をまねくことなく、向上させることが可能となる。
【図面の簡単な説明】
【図１】本発明の現金取扱装置を用いたＡＴＭの本発明に係る構成の第１の実施例を示す説明図である。
【図２】図１におけるＡＴＭの外観を示す斜視実体図である。
【図３】図１におけるＡＴＭに設けられた現金取扱装置の本発明に係る構成部分を示す斜視実体図である。
【図４】図２におけるＡＴＭの制御機構の構成例を示すブロックである。
【図５】図１におけるＡＴＭの現金取扱装置の制御手順の第１例を示すフローチャートである。
【図６】図１におけるＡＴＭの現金取扱装置の制御手順の第２例を示すフローチャートである。
【図７】本発明の現金取扱装置を用いたＡＴＭの本発明に係る構成の第２の実施例を示す説明図である。
【図８】本発明の現金取扱装置を用いたＡＴＭの本発明に係る構成の第３の実施例を示す説明図である。
【図９】図８におけるＡＴＭのシャッタ開閉制御動作例を示すフローチャートである。
【符号の説明】
１，７１，９１：ホッパ、２，７２，９２：規制シャッタ、２ａ，７２ａ，９２ａ：スリット、３，７３，９３：メインシャッタ、４，７４，９４：シャッタ制御部、５：フィーダ、６，７６：搬送部、７，７７：鑑別部、８，７８：リジェクトゲート、９，７９：返却部、１０，８０：排出部、１１：一時スタッカ、１２：返却ゲート、１３：収納ゲート、１４：金庫、１５：出金硬貨筒、１６，８５：出金部、１７：硬貨、１８：ＡＴＭ、１９：筐体、２０：操作パネル、２０ａ：入力部、２１：紙幣口、２２：通帳口、２３：磁気カード／明細票口、２４：硬貨口、２５：ＣＰＵ、２６：記憶装置、２７：インタフェース、２８：現金取扱装置、７５：フィーダローラ、８１：ガイド部、８１ａ〜８１ｃ：レバー、８２〜８４：スタッカ、９５：搬出機構、９６：硬貨機構、９７：紙幣機構。
【図１】
0003665943.tif 000002
【図２】
0003665943.tif 000003
【図３】
0003665943.tif 000004
【図４】
0003665943.tif 000005
【図５】
0003665943.tif 000006
【図６】
0003665943.tif 000007
【図７】
0003665943.tif 000008
【図８】
0003665943.tif 000009
【図９】
0003665943.tif 000010